(57)【要約】【課題】  光ディスクの回転による騒音を少なくして、光ディスクに記録された映像音声信号を再生することができ、光ディスクの再生中に、映像音声信号の読み取りエラーが発生した場合であっても、再生中の映像音声が途切れないようにすることができるようにする。【解決手段】  光ディスクに記録された映像音声信号を再生し、光ディスクの再生中に、映像音声信号の読み取りエラーが発生したとき、映像音声信号の読み取りをリトライし、映像音声信号の読み取りのリトライ中に、映像音声信号の読み取りエラーが発生したとき、光ディスクの回転速度を上げて、映像音声信号の読み取りをリトライし、映像音声信号の読み取りのリトライにより、映像音声信号の読み取りができたとき、光ディスクの回転速度を元の回転速度に戻して、光ディスクに記録された映像音声信号を再生するようにする。【選択図】        図４
2005196858.tif 000002
【特許請求の範囲】
【請求項１】
光ディスクに記録された映像音声信号を再生するディスク再生装置であって、
光ディスクに記録された映像音声信号を所定の低速モードで再生する再生手段と、前記再生手段による光ディスクの再生中に、映像音声信号の読み取りエラーが発生したとき、読み取りエラーが発生したセクタの映像音声信号の読み取りを所定の低速モードでリトライする第１のリトライ手段と、前記第１のリトライ手段による映像音声信号の読み取りのリトライ中に、映像音声信号の読み取りエラーが発生したとき、光ディスクの回転速度を上げて、読み取りエラーが発生したセクタの映像音声信号の読み取りを所定の高速モードでリトライする第２のリトライ手段と、前記第２のリトライ手段による映像音声信号の読み取りのリトライにより、読み取りエラーが発生したセクタの映像音声信号の読み取りができたとき、光ディスクの回転速度を元の回転速度に戻して、光ディスクに記録された映像音声信号を所定の低速モードで再生する再生制御手段とを備えたことを特徴とするディスク再生装置。
【請求項２】
光ディスクに記録された映像音声信号を再生するディスク再生装置であって、
光ディスクに記録された映像音声信号を再生する再生手段と、前記再生手段による光ディスクの再生中に、映像音声信号の読み取りエラーが発生したとき、映像音声信号の読み取りをリトライする第１のリトライ手段と、前記第１のリトライ手段による映像音声信号の読み取りのリトライ中に、映像音声信号の読み取りエラーが発生したとき、光ディスクの回転速度を上げて映像音声信号の読み取りをリトライする第２のリトライ手段と、前記第２のリトライ手段による映像音声信号の読み取りのリトライにより映像音声信号の読み取りができたとき、光ディスクの回転速度を元の回転速度に戻して、光ディスクに記録された映像音声信号を再生する再生制御手段とを備えたことを特徴とするディスク再生装置。
【請求項３】
前記再生手段は、光ディスクに記録された映像音声信号を所定の低速モードで再生する再生手段であることを特徴とする請求項２記載のディスク再生装置。
【請求項４】
前記第１のリトライ手段は、読み取りエラーが発生したセクタの映像音声信号の読み取りを所定の低速モードでリトライするリトライ手段であることを特徴とする請求項２記載のディスク再生装置。
【請求項５】
前記第２のリトライ手段は、光ディスクの回転速度を上げて、読み取りエラーが発生したセクタの映像音声信号の読み取りを所定の高速モードでリトライするリトライ手段であることを特徴とする請求項２記載のディスク再生装置。
【請求項６】
前記再生制御手段は、前記第２のリトライ手段による映像音声信号の読み取りのリトライにより、読み取りエラーが発生したセクタの映像音声信号の読み取りができたとき、光ディスクの回転速度を元の回転速度に戻して、光ディスクに記録された映像音声信号を所定の低速モードで再生する再生制御手段であることを特徴とする請求項２記載のディスク再生装置。
【請求項７】
光ディスクに記録された映像音声信号を再生するディスク再生装置の再生方法であって、
光ディスクに記録された映像音声信号を所定の低速モードで再生するステップと、光ディスクの再生中に、映像音声信号の読み取りエラーが発生したとき、読み取りエラーが発生したセクタの映像音声信号の読み取りを所定の低速モードでリトライするステップと、映像音声信号の読み取りのリトライ中に、映像音声信号の読み取りエラーが発生したとき、光ディスクの回転速度を上げて、読み取りエラーが発生したセクタの映像音声信号の読み取りを所定の高速モードでリトライするステップと、映像音声信号の読み取りを所定の高速モードでリトライし、読み取りエラーが発生したセクタの映像音声信号の読み取りができたとき、光ディスクの回転速度を元の回転速度に戻して、光ディスクに記録された映像音声信号を所定の低速モードで再生するステップとを備えたことを特徴とするディスク再生装置の再生方法。
【発明の詳細な説明】
【技術分野】
【０００１】
本発明は、ＤＶＤ（Ｄｅｇｉｔａｌ  Ｖｅｒｓａｔｉｌｅ  Ｄｉｓｃ）、ＣＤ（Ｃｏｍｐａｃｔ  Ｄｉｓｃ）等の光ディスクに記録された映像音声信号を再生するディスク再生装置に係り、特に光ディスクの回転に伴う騒音を少なくして光ディスクを再生することができ、光ディスクの再生中に、映像音声信号の読み取りエラーが発生した場合であっても、再生中の映像音声が途切れることなく光ディスクを再生することができるディスク再生装置に関する。
【背景技術】
【０００２】
ＤＶＤ、ＣＤ等の光ディスクを再生するディスク再生装置は、光ディスクの信号記録面に少しの汚れやキズ等があっても、光ディスクから読み取った映像音声信号の誤りをその映像音声信号に付加された誤り訂正符号に基づいて訂正して、映像音声信号を再生することができるようになっている。しかし、衝撃や振動等の外的要因や光ディスクの信号記録面の汚れやキズ等の内的要因のために、映像音声信号の読み取りエラーが発生して、映像音声信号の誤りを訂正することができない場合、映像音声信号の読み取りをリトライしなければならず、映像音声信号の読み取りのリトライを頻繁に繰り返すと、再生された映像音声信号を一時的に蓄積するバッファメモリのデータがなくなって、映像音声信号を一定の転送速度で出力することができなくなり、再生中の映像音声が途切れるという問題点があった。また、光ディスクを高速回転させて光ディスクに記録された映像音声信号を高速モードで再生すると、映像音声信号の再生速度が向上するが、再生された映像音声信号のデータを一時的に蓄積するために大容量のバッファメモリが必要になり、光ディスクを低速で回転させた場合に比べて、光ディスクの回転音や光ディスクの偏心や面振れ等による振動音や光ディスクの回転による風切り音等の騒音が大きくなるという問題点があった。また、光ディスクを低速回転させて光ディスクに記録された映像音声信号を低速モードで再生すると、再生された映像音声信号のデータを一時的に蓄積するバッファメモリの容量を小さくすることができ、光ディスクの回転音や光ディスクの偏心や面振れ等による振動音や光ディスクの回転による風切り音等の騒音を少なくすることができるが、映像音声信号の読み取りエラーが発生した場合、光ディスクの回転速度が遅いために、映像音声信号の読み取りエラーが発生したセクタの映像音声信号の読み取りのリトライ回数が減少して、再生された映像音声信号を一時的に蓄積するバッファメモリのデータがなくなり、映像音声信号を一定の転送速度で出力することができなくなって、再生中の映像音声が途切れるという問題点があった。
背景技術としては、記録媒体に記録されている情報を再生する際に、映像音声信号の読み取りエラーが発生したとき、映像音声信号の読み取りリトライにより記録媒体の回転速度を減速させて再生し、記録媒体の情報の最小単位ブロックに映像音声信号の読み取りエラーを訂正する機構が存在するか否かを確認し、その確認結果に基づいて記録媒体の回転速度を元に戻すか否かを判断するための時間を決定し、決定した時間中の映像音声信号の読み取りのリトライにより記録媒体の回転速度をさらに減速することなく以後の情報の再生ができた場合に、記録媒体の回転速度を減速前の元の回転速度に戻すようにしたものがあった（例えば、特許文献１参照）。
【特許文献１】特開２００２−２５１８１８号公報
【発明の開示】
【発明が解決しようとする課題】
【０００３】
しかしながら、背景技術で述べたものにおいては、記録媒体に記録されている情報を再生する際に、映像音声信号の読み取りエラーが発生したとき、映像音声信号の読み取りリトライにより記録媒体の回転速度を減速させて再生し、記録媒体の情報の最小単位ブロックに映像音声信号の読み取りエラーを訂正する機構が存在するか否かを確認し、その確認結果に基づいて記録媒体の回転速度を元に戻すか否かを判断するための時間を決定し、決定した時間中の映像音声信号の読み取りのリトライにより記録媒体の回転速度をさらに減速することなく以後の情報の再生ができた場合に、記録媒体の回転速度を減速前の元の回転速度に戻すようにしたものであって、光ディスクの回転音や光ディスクの偏心や面振れ等による振動音や光ディスクの回転による風切り音等の騒音を少なくして、光ディスクに記録された映像音声信号を再生し、映像音声信号の読み取りエラーが発生したときであっても、再生中の映像音声が途切れないようにするようにしたものではなかった。
本発明は、背景技術の有するこのような問題点に鑑みてなされたものであり、その目的とするところは、光ディスクの回転音や光ディスクの偏心や面振れ等による振動音や光ディスクの回転による風切り音等の騒音を少なくして、光ディスクに記録された映像音声信号を再生することができ、光ディスクの再生中に、映像音声信号の読み取りエラーが発生した場合であっても、再生中の映像音声が途切れないようにすることができるディスク再生装置を提供しようとするものである。
【課題を解決するための手段】
【０００４】
上記目的を達成するため本発明においては、光ディスクに記録された映像音声信号を再生するディスク再生装置であって、光ディスクに記録された映像音声信号を再生する再生手段と、前記再生手段による光ディスクの再生中に、映像音声信号の読み取りエラーが発生したとき、映像音声信号の読み取りをリトライする第１のリトライ手段と、前記第１のリトライ手段による映像音声信号の読み取りのリトライ中に、映像音声信号の読み取りエラーが発生したとき、光ディスクの回転速度を上げて、映像音声信号の読み取りをリトライする第２のリトライ手段と、前記第２のリトライ手段による映像音声信号の読み取りのリトライにより映像音声信号の読み取りができたとき、光ディスクの回転速度を元の回転速度に戻して、光ディスクに記録された映像音声信号を再生する再生制御手段とを備える。
前記再生手段は、光ディスクに記録された映像音声信号を所定の低速モードで再生するようにするとよい。
前記第１のリトライ手段は、読み取りエラーが発生したセクタの映像音声信号の読み取りを所定の低速モードでリトライするようにするとよい。
前記第２のリトライ手段は、光ディスクの回転速度を上げて、読み取りエラーが発生したセクタの映像音声信号の読み取りを所定の高速モードでリトライするようにするとよい。
前記再生制御手段は、前記第２のリトライ手段による映像音声信号の読み取りのリトライにより、読み取りエラーが発生したセクタの映像音声信号の読み取りができたとき、光ディスクの回転速度を元の回転速度に戻して、光ディスクに記録された映像音声信号を所定の低速モードで再生するようにするとよい。
これらの手段により、光ディスクの回転音や光ディスクの偏心や面振れ等による振動音や光ディスクの回転による風切り音等の騒音を少なくして、光ディスクに記録された映像音声信号を再生することができ、光ディスクの再生中に、映像音声信号の読み取りエラーが発生した場合であっても、再生中の映像音声が途切れないようにすることができる。
【発明の効果】
【０００５】
請求項１記載の発明に係るディスク再生装置によれば、光ディスクに記録された映像音声信号を所定の低速モードで再生し、光ディスクの再生中に、映像音声信号の読み取りエラーが発生したとき、読み取りエラーが発生したセクタの映像音声信号の読み取りを所定の低速モードでリトライし、映像音声信号の読み取りのリトライ中に、映像音声信号の読み取りエラーが発生したとき、光ディスクの回転速度を上げて、読み取りエラーが発生したセクタの映像音声信号の読み取りを所定の高速モードでリトライし、映像音声信号の読み取りのリトライにより、読み取りエラーが発生したセクタの映像音声信号の読み取りができたとき、光ディスクの回転速度を元の回転速度に戻して、光ディスクに記録された映像音声信号を所定の低速モードで再生するようにしているので、光ディスクの回転音や光ディスクの偏心や面振れ等による振動音や光ディスクの回転による風切り音等の騒音を少なくして、光ディスクに記録された映像音声信号を再生することができ、光ディスクの再生中に、映像音声信号の読み取りエラーが発生した場合であっても、再生中の映像音声が途切れないようにすることができる。
請求項２記載の発明に係るディスク再生装置によれば、光ディスクに記録された映像音声信号を再生し、光ディスクの再生中に、映像音声信号の読み取りエラーが発生したとき、映像音声信号の読み取りをリトライし、映像音声信号の読み取りのリトライ中に、映像音声信号の読み取りエラーが発生したとき、光ディスクの回転速度を上げて、映像音声信号の読み取りをリトライし、映像音声信号の読み取りのリトライにより、映像音声信号の読み取りができたとき、光ディスクの回転速度を元の回転速度に戻して、光ディスクに記録された映像音声信号を再生するようにしているので、光ディスクの再生中に、映像音声信号の読み取りエラーが発生した場合であっても、再生中の映像音声が途切れないようにすることができる。
請求項３記載の発明に係るディスク再生装置によれば、光ディスクに記録された映像音声信号を所定の低速モードで再生するようにしているので、光ディスクの回転音や光ディスクの偏心や面振れ等による振動音や光ディスクの回転による風切り音等の騒音を少なくして、光ディスクに記録された映像音声信号を再生することができる。
請求項４記載の発明に係るディスク再生装置によれば、読み取りエラーが発生したセクタの映像音声信号の読み取りを所定の低速モードでリトライするようにしているので、光ディスクの回転音や光ディスクの偏心や面振れ等による振動音や光ディスクの回転による風切り音等の騒音を少なくすることができる。
請求項５記載の発明に係るディスク再生装置によれば、光ディスクの回転速度を上げて、読み取りエラーが発生したセクタの映像音声信号の読み取りを所定の高速モードでリトライするようにしているので、光ディスクの再生中に、映像音声信号の読み取りエラーが発生した場合であっても、再生中の映像音声が途切れないようにすることができる。
請求項６記載の発明に係るディスク再生装置によれば、映像音声信号の読み取りのリトライにより、読み取りエラーが発生したセクタの映像音声信号の読み取りができたとき、光ディスクの回転速度を元の回転速度に戻して、光ディスクに記録された映像音声信号を所定の低速モードで再生するようにしているので、光ディスクの回転音や光ディスクの偏心や面振れ等による振動音や光ディスクの回転による風切り音等の騒音を少なくして、光ディスクに記録された映像音声信号を再生することができる。
請求項７記載の発明に係るディスク再生装置によれば、光ディスクに記録された映像音声信号を所定の低速モードで再生し、光ディスクの再生中に、映像音声信号の読み取りエラーが発生したとき、読み取りエラーが発生したセクタの映像音声信号の読み取りを所定の低速モードでリトライし、映像音声信号の読み取りのリトライ中に、映像音声信号の読み取りエラーが発生したとき、光ディスクの回転速度を上げて、読み取りエラーが発生したセクタの映像音声信号の読み取りを所定の高速モードでリトライし、映像音声信号の読み取りを所定の高速モードでリトライし、読み取りエラーが発生したセクタの映像音声信号の読み取りができたとき、光ディスクの回転速度を元の回転速度に戻して、光ディスクに記録された映像音声信号を所定の低速モードで再生するようにしているので、光ディスクの回転音や光ディスクの偏心や面振れ等による振動音や光ディスクの回転による風切り音等の騒音を少なくして、光ディスクに記録された映像音声信号を再生することができ、光ディスクの再生中に、映像音声信号の読み取りエラーが発生した場合であっても、再生中の映像音声が途切れないようにすることができる。
【発明を実施するための最良の形態】
【０００６】
以下、適宜図面を参照しながら本発明を実施するための最良の形態を詳述する。図１は本発明の一実施例のディスク再生装置の構成を示すブロック図であり、図２は本発明の一実施例のディスク再生装置のリモコン装置を示す説明図であり、図３は本発明の一実施例のディスク再生装置の動作を示す説明図であり、図４は本発明の一実施例のディスク再生装置の動作を示すフローチャートである。
まず、図１の本発明の一実施例のディスク再生装置の構成を示すブロック図を基に説明する。
ディスク再生装置１は、光ディスク２に記録された映像音声信号を光学的に読み取る光ピックアップ３と、光ディスク２を回転させるスピンドルモータ４と、スピンドルモータ４を駆動し、光ピックアップ３を光ディスク２の半径方向に移動させるスレッドモータ（図示せず）を駆動して、光ピックアップ３のフォーカスとトラッキングとを制御するサーボ回路５と、光ピックアップ３により読み取られた映像音声信号を基準クロックに基づいて同期検出し、アナログ信号の映像音声信号をデジタル信号に変換する同期検出／ＡＤ変換回路６と、デジタル信号に変換された映像音声信号を復調し、映像音声信号に付加された誤り訂正符号に基づいて、復調された映像音声信号の誤りを訂正する復調／誤り訂正回路７と、再生された映像音声信号のデータを一時的に蓄積するバッファメモリ８と、所定の圧縮方式、例えば、ＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）方式に基づいて圧縮された映像音声信号を伸張して、元の映像音声信号を復号するデコーダ９と、復号された映像音声信号を所定の信号方式に従ったコンポジット信号の映像音声信号、例えば、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式の映像音声信号に符号化し、符号化された映像音声信号をアナログ信号の映像音声信号に変換して、映像音声信号をモニタ装置３０に出力するエンコーダ／ＤＡ変換回路１０と、ディスク再生装置１のシステム全体を制御するマイコン１１と、リモコン装置２０から送信された赤外線信号のリモコン信号を受信して、所定の電気信号に変換するリモコン受信部１２とで構成されている。
また、リモコン装置２０には、図２に示すように、光ディスクに記録された映像音声信号の再生を指令する再生キー２０ａ、光ディスクに記録された映像音声信号の次のチャプタ番号／タイトル番号へのスキップを指令する次スキップキー２０ｂ、光ディスクに記録された映像音声信号の前のチャプタ番号／タイトル番号へのスキップを指令する前スキップキー２０ｃ、光ディスクに記録された映像音声信号の再生を一時停止する一時停止キー２０ｄ、光ディスクに記録された映像音声信号の再生の停止を指令する停止キー２０ｅ等の複数の操作キーが設けられていて、それらの操作キーを操作することによりディスク再生装置１を所望動作させることができるようになっている。
以上のように構成されたディスク再生装置について、以下その動作について説明する。
リモコン装置２０の操作キーが操作されると、操作された操作キーのリモコン信号がリモコン装置２０から赤外線信号のリモコン信号として送信され、リモコン受信部１２により受信され、所定の電気信号に変換されてマイコン１１に送出される。光ディスクの再生を指令するリモコン装置２０の再生キー２０ａのリモコン信号を受信すると、マイコン１１は、サーボ回路５に制御信号を送出して、スピンドルモータ４とスレッドモータ（図示せず）とを低速モード、例えば、映像音声信号の転送速度と同じ等倍速、或いはその倍の２倍速で駆動し、光ピックアップ３により光ディスク２に記録された映像音声信号を読み取って、同期検出／ＡＤ変換回路６、復調／誤り訂正回路７、デコーダ９、エンコーダ／ＤＡ変換回路１０により光ディスク２に記録された映像音声信号を再生する（図３参照）。光ディスク２の再生中に、衝撃・振動等の外的要因や光ディスクの信号記録面の汚れやキズ等の内的要因により光ディスクに記録された映像音声信号の読み取りエラーが発生すると、マイコン１１は、サーボ回路５に制御信号を送出して、スピンドルモータ４とスレッドモータ（図示せず）とを駆動し、映像音声信号の読み取りエラーが発生したセクタの映像音声信号の読み取りを低速モードでリトライする（図３参照）。
映像音声信号の読み取りのリトライ中に、映像音声信号の読み取りエラーが発生した場合、マイコン１１は、サーボ回路５に制御信号を送出して、光ディスク２の回転速度を上げ、スピンドルモータ４とスレッドモータ（図示せず）とを高速モード、例えば、映像音声信号の転送速度の１０倍速、或いは１２倍速で駆動して、読み取りエラーが発生したセクタの映像音声信号の読み取りを高速モードでリトライする（図３参照）。そして、映像音声信号の読み取りの高速モードでのリトライにより、映像音声信号の読み取りエラーが発生したセクタの映像音声信号の読み取りができた場合、マイコン１１は、サーボ回路５に制御信号を送出して、光ディスク２の回転速度を元の回転速度に戻し、スピンドルモータ４とスレッドモータ（図示せず）とを低速モードで駆動して、光ディスク２に記録された映像音声信号を低速モードで再生する（図３参照）。
光ディスク２の再生停止を指令するリモコン装置２０の停止キー２０ｅのリモコン信号を受信した場合、マイコン１１は、サーボ回路５に制御信号を送出して、スピンドルモータ４とスレッドモータ（図示せず）との駆動を停止し、光ディスク２の再生を停止する。また、光ディスク２に記録された映像音声信号の再生が終了した場合、マイコン１１は、サーボ回路５に制御信号を送出して、スピンドルモータ４とスレッドモータ（図示せず）との駆動を停止し、光ディスク２の再生を終了する。
これにより、光ディスクを再生する際に、光ディスクに記録された映像音声信号を低速モードで再生するようにしているので、光ディスクの回転音や光ディスクの偏心や面振れ等による振動音や光ディスクの回転による風切り音等の騒音を少なくすることができ、ユーザが光ディスクの回転に伴う騒音による違和感を覚えずに、再生された映像音声を静穏の中で満喫して視聴することができる。また、光ディスクの再生中に、映像音声信号の読み取りエラーが発生した場合、映像音声信号の読み取りエラーが発生したセクタの映像音声信号の読み取りをリトライし、映像音声信号の読み取りのリトライ中に、映像音声信号の読み取りエラーが発生したとき、光ディスクの回転速度を上げて、映像音声信号の読み取りを高速モードでリトライするようにしているので、小容量のバッファメモリであっても、バッファメモリに蓄積された映像音声信号のデータがなくなることなく、再生された映像音声信号を一定の転送速度で出力することができるので、再生中に映像音声信号の読み取りエラーが発生した場合であっても、再生中の映像音声が途切れないようにすることができる。
また、図４の本発明の一実施例のディスク再生装置の動作を示すフローチャートを基に説明する。
光ディスクの再生を指令するリモコン装置の再生キーのリモコン信号を受信すると、ステップＳ１からステップＳ２に進み、ステップＳ２で、光ディスクに記録された映像音声信号が低速モードで再生され、ステップＳ３に進む。
ステップＳ３で、光ディスクの再生中に、光ディスクに記録された映像音声信号の読み取りエラーが発生したか否かが判断され、光ディスクに記録された映像音声信号の読み取りエラーが発生した場合、ステップＳ４に進み、光ディスクに記録された映像音声信号の読み取りエラーが発生していない場合、ステップＳ１０に進む。
ステップＳ４で、映像音声信号の読み取りエラーが発生したセクタの映像音声信号の読み取りが低速モードでリトライされ、ステップＳ５に進む。
ステップＳ５で、映像音声信号の読み取りのリトライ中に、映像音声信号の読み取りエラーが発生したか否かが判断され、映像音声信号の読み取りエラーが発生した場合、ステップＳ６に進み、映像音声信号の読み取りエラーが発生せずに、映像音声信号の読み取りエラーが発生したセクタの映像音声信号の読み取りができた場合、ステップＳ１０に進む。
ステップＳ６で、光ディスクの回転速度が上げられて、ステップＳ７に進む。
ステップＳ７で、映像音声信号の読み取りエラーが発生したセクタの映像音声信号の読み取りが高速モードでリトライされ、ステップＳ８に進む。
ステップＳ８で、映像音声信号の読み取りエラーが発生したセクタの映像音声信号の読み取りができたか否かが判断され、映像音声信号の読み取りができた場合、ステップＳ９に進み、映像音声信号の読み取りができていない場合、ステップＳ７に戻って、ステップＳ７からのステップを繰り返す。
ステップＳ９で、光ディスクの回転速度が元の回転速度に戻されて、光ディスクに記録された映像音声信号が低速モードで再生され、ステップＳ１０に進む。
ステップＳ１０で、光ディスクの再生の停止を指令するリモコン装置の停止キーのリモコン信号を受信したか否かが判断され、リモコン装置の停止キーのリモコン信号を受信した場合、ステップＳ１１に進み、リモコン装置の停止キーのリモコン信号を受信していない場合、ステップＳ３に戻って、ステップＳ３からのステップを繰り返す。
ステップＳ１１で、光ディスクの再生が停止され、ステップＳ１２に進んで処理を終了する。
以上、本発明を実施するための最良の形態について詳述したが、本発明はこれに限らず、当業者の通常の知識の範囲内でその変形や改良が可能である。例えば、光ディスクに記録された映像音声信号を等倍速、或いは２倍速の低速モードで再生し、読み取りエラーのリトライ中に、読み取りエラーが発生したとき、読み取りエラーが発生したセクタの映像音声信号を１０倍速、或いは１２倍速の高速モードでリトライすることを説明したが、低速モードの光ディスクの回転速度は、２倍速より速い４倍速、或いは６倍速としてもよく、高速モードの光ディスクの回転速度は、１２倍速より速い回転速度、例えば、１６倍速、或いは２４倍速としてもよい。
【図面の簡単な説明】
【０００７】
【図１】本発明の一実施例のディスク再生装置の構成を示すブロック図である。
【図２】本発明の一実施例のディスク再生装置のリモコン装置を示す説明図である。
【図３】本発明の一実施例のディスク再生装置の動作を示す説明図である。
【図４】本発明の一実施例のディスク再生装置の動作を示すフローチャートである。
【符号の説明】
【０００８】
１  ディスク再生装置
２  光ディスク
３  光ピックアップ
４  スピンドルモータ
５  サーボ回路
６  同期検出／ＡＤ変換回路
７  復調／誤り訂正回路
８  バッファメモリ
９  デコーダ
１０  エンコーダ／ＤＡ変換回路
１１  マイコン
１２  リモコン受信部
２０  リモコン装置
２０ａ  再生キー
２０ｂ  次スキップキー
２０ｃ  前スキップキー
２０ｄ  一時停止キー
２０ｅ  停止キー
３０  モニタ装置
【図１】
2005196858.tif 000003
【図２】
2005196858.tif 000004
【図３】
2005196858.tif 000005
【図４】
2005196858.tif 000006